(57)【要約】【課題】着用時の着け心地に優れ、かつ歩行中の筋活動を増やし、歩行による脚力トレーニング効果を高められる衣類を提供する。【解決手段】衣類１では、着用時に本体部２が伸張すると、本体部２の伸張に伴って作用部７にも伸張方向の変形が生じる。このとき、作用部７と交差する方向に延在する一対の支持部８，９により、作用部７がその延在方向に伸張する一方で、作用部７の両端部７ａ，７ａの位置が支持部８，９の延在方向に変動することが抑制される。このため、作用部７は、中央の凸部分７ｂがフラットになるように変形し、作用部７の直下にある皮膚を対象部位側から引き寄せる。これにより、筋活動を妨げている皮膚の弛みを解消でき、歩行中の筋活動を増やし、歩行による脚力のトレーニング結果を高めることができる。また、衣類１では、締め付け力を筋肉に作用させる場合に比べて着用時の着け心地にも優れる。【選択図】図２
2015158023.tif 000002
【特許請求の範囲】
【請求項１】
伸縮性を有する本体部と、
前記本体部よりも低い伸縮性を有するライン部と、を備え、
前記ライン部は、前記本体部における所定の対象部位に向けて凸となる部分を有する作用部と、
前記作用部の両端部にそれぞれ連結されると共に、前記作用部と交差する方向に延在する一対の支持部と、を備えた衣類。
【請求項２】
前記作用部は、前記対象部位から所定の間隔をもって配置されている請求項１記載の衣類。
【請求項３】
前記対象部位は、前記本体部における左右の膝部である請求項１又は２記載の衣類。
【請求項４】
前記一対の支持部の一方は、前記本体部における膝部外側に対応する位置から腰部に対応する位置にかけて延在している請求項３記載の衣類。
【請求項５】
前記一対の支持部の他方は、膝部内側に対応する位置から股部に対応する位置にかけて延在している請求項３又は４記載の衣類。
【請求項６】
前記一対の支持部の他方の上端側同士は、互いに連結されている請求項５記載の衣類。
【請求項７】
前記一対の支持部の他方の上端側同士は、前記本体部の股部を介して連結されている請求項５記載の衣類。
【発明の詳細な説明】
【技術分野】
【０００１】
本発明は、着用者の動作をサポートする機能を有する衣類に関する。
【背景技術】
【０００２】
この種の分野に関連する技術として、例えば特許文献１に記載のアンダーシャツがある。この従来のアンダーシャツでは、緊締力の異なる３種類の素材が用いられ、最も緊締力の高い素材が上腕三頭筋の少なくとも一部に宛がわれ、最も緊締力の低い素材が肩甲骨周りの僧帽筋・広背筋・三角筋の少なくとも一部に宛がわれ、中間の緊締力を有する素材がその他の部位に宛がわれるようになっている。また、例えば特許文献２に記載のシャツでは、一方向にのみ伸縮性を有する素材を用い、後身頃の上部、下部、前身頃、上腕部、脇部〜肘部、袖部でそれぞれ伸縮方向が異なるように素材を配置している。
【０００３】
着用者の動作をサポートする機能を有する衣類は、例えば高齢者への展開が検討されている。近年では、高齢者であっても若々しい意識を持つ人々が増え、積極的に外出する人の割合やおしゃれに関心を持つ人の割合が増加傾向にある。また、高齢者の歩行に対する意識も非常に高く、１日当たりの歩数が増加傾向にあるだけでなく、歩幅や歩速を大きくしたり、歩く際に足を高く上げたりすることで、脚力の維持・向上を意識している傾向が見られる。
【先行技術文献】
【特許文献】
【０００４】
【特許文献１】特開２００４−０４４０７０号公報
【特許文献２】特開２００９−２９９２３９号公報
【発明の概要】
【発明が解決しようとする課題】
【０００５】
上述した従来のサポート衣類では、高齢者の動作をサポートする機能が十分に発揮されない場合があった。これは、高齢者の場合は加齢によって筋機能（筋力）が低下しており、衣類からの締め付け力を筋肉に作用させる構成では効果が小さいためと考えられる。また、高齢者の場合は、衣類からの締め付け力を生理的に嫌う傾向もあり、着用時の着け心地を改良する必要も生じている。
【０００６】
本発明は、上記課題の解決のためになされたものであり、着用時の着け心地に優れ、かつ着用者の歩行中の筋活動を増やし、歩行による脚力トレーニング効果を高められる衣類を提供することを目的とする。
【課題を解決するための手段】
【０００７】
上記課題に対し、本願出願人らは、鋭意研究を重ねる過程で、高齢者の動作を妨げる要因として「皮膚の張り」に着目した。図９は、若年者と高齢者との膝周りの皮膚の張りの違いを示す図である。図９（ａ）に示す高齢者の皮膚は、図９（ｂ）に示す若年者の皮膚に比べて張力が低下し、弛んだ状態となっている。膝周りの例では、例えば膝上（膝蓋骨中心の上方）３．５ｃｍ程度の位置で最も皮膚の弛みが生じており、このような皮膚の弛みが正常な筋活動を妨げていると考えられる。
【０００８】
本願出願人らは、皮膚の弛みと筋活動との関係を検証するため、高齢の被験者の膝上の皮膚をテープで５ｍｍ程度上方に引き上げ、テープによる皮膚の引き上げを行った場合と、テープによる皮膚の引き上げを行わない場合とでそれぞれ被験者の歩行の様子を観察した。その結果、テープによる皮膚の引き上げを行った場合では、被験者１５名のうちの１１名で歩幅及び歩速が大きくなり、皮膚の引き上げが若々しい歩行に寄与することが確認できた。そこで、本願出願人らは、テープを用いた場合と同様に皮膚の弛みを解消する構成を衣類側に付加すれば、着用者の歩行中の筋活動を増やして歩行による脚力のトレーニング結果を高めることができ、さらに、締め付け力を筋肉に作用させる場合に比べて着け心地も改良できるとの知見を得て、本発明を完成させるに至った。
【０００９】
本発明に係る衣類は、伸縮性を有する本体部と、本体部よりも低い伸縮性を有するライン部と、を備え、ライン部は、本体部における所定の対象部位に向けて凸となる部分を有する作用部と、作用部の両端部にそれぞれ連結されると共に、作用部と交差する方向に延在する一対の支持部と、を備えたことを特徴としている。
【００１０】
この衣類では、着用時に本体部が伸張すると、本体部の伸張に伴って作用部にも伸張方向の変形が生じる。このとき、作用部の両端部には、作用部と交差する方向に延在する一対の支持部がそれぞれ連結されているため、作用部がその延在方向に伸張することが許容される一方で、作用部の両端部の位置が支持部の延在方向に変動することが抑制される。このため、作用部は、凸部がフラットになるように変形し、変形の際に作用部の直下にある皮膚を対象部位側から引き寄せるように作用する。これにより、筋活動を妨げている皮膚の弛みを解消することが可能となり、着用者の歩行中の筋活動を増やし、歩行による脚力のトレーニング結果を高めることができる。また、この衣類では、皮膚の弛みを解消させる作用を有しているが、締め付け力を筋肉に作用させる場合に比べて着用者への圧力の負荷も小さいので、着用時の着け心地にも優れたものとなる。
【００１１】
また、作用部は、対象部位から所定の間隔をもって配置されていることが好ましい。皮膚の弛みは、関節等の動作部位から離間した位置に顕著に生じることがある。したがって、対象部位から所定の間隔をもって作用部を配置することで、筋活動を妨げている皮膚の弛みをより好適に解消することができる。
【００１２】
また、対象部位は、本体部における左右の膝部であることが好ましい。この場合、膝部周りの皮膚の弛みをより好適に解消でき、歩幅及び歩速が大きくなるように歩行動作をサポートできる。
【００１３】
また、一対の支持部の一方は、本体部における膝部外側に対応する位置から腰部に対応する位置にかけて延在していることが好ましい。これにより、支持部によって作用部の両端部がより確実に支持され、作用部による皮膚の引き寄せ作用を一層確実に生じさせることができる。
【００１４】
また、一対の支持部の他方は、本体部における膝部内側に対応する位置から股部に対応する位置にかけて延在していることが好ましい。これにより、支持部によって作用部の両端部がより確実に支持され、作用部による皮膚の引き寄せ作用を一層確実に生じさせることができる。
【００１５】
また、一対の支持部の他方の上端側同士は、互いに連結されていることが好ましい。これにより、支持部によって作用部の両端部がより確実に支持され、作用部による皮膚の引き寄せ作用を一層確実に生じさせることができる。
【００１６】
また、一対の支持部の他方の上端側同士は、本体部の股部を介して連結されていることが好ましい。これにより、支持部によって作用部の両端部がより確実に支持され、作用部による皮膚の引き寄せ作用を一層確実に生じさせることができる。
【発明の効果】
【００１７】
本発明に係る衣類によれば、着用時の着け心地に優れ、かつ歩行中の筋活動を増やし、歩行による脚力のトレーニング結果を高めることができる。
【図面の簡単な説明】
【００１８】
【図１】本発明に係る衣類の第１実施形態を示す正面図である。
【図２】図１に示した衣類の作用効果を示す要部拡大図である。
【図３】図１に示した衣類の別の作用効果を示す要部拡大図である。
【図４】本発明に係る衣類の作用効果に関する実験結果を示す図である。
【図５】本発明に係る衣類の脚力トレーニング効果に関する実験結果を示す図であり、（ａ）は歩幅の測定結果、（ｂ）は歩速の測定結果を示す。
【図６】第１実施形態に係る衣類の変形例を示す要部拡大図である。
【図７】本発明に係る衣類の第２実施形態を示す側面図である。
【図８】本発明に係る衣類の第３実施形態を示す要部拡大図である。
【図９】若年者と高齢者との膝周りの皮膚の張りの違いを示す図であり、（ａ）は高齢者の膝周りの様子、（ｂ）は若年者の膝周りの様子を示す。
【発明を実施するための形態】
【００１９】
以下、図面を参照しながら、本発明に係る衣類の好適な実施形態について詳細に説明する。
［第１実施形態］
【００２０】
図１は、本発明に係る衣類の第１実施形態を示す正面図である。同図に示す衣類１は、例えば高齢者の若々しい歩行をサポートするボトム衣類（スパッツ）として構成されており、着用者の下半身に対応するように形成された本体部２と、本体部２の一部に画成されたライン部３とを備えている。
【００２１】
本体部２は、例えば股上部では左右の身頃を前中心及び後中心で互いに縫着し、脚部では内側で前面側と背面側とを縫着することによって形成され、着用状態において、着用者の腹部、臀部、股部を覆う部分のほか、左右の足を足首付近まで覆う脚部４，４を有している。また、本体部２の上部は、着用者のウエストラインに対応する腰部５となっている。腰部５には、例えばゴムなどによって形成された伸縮性を有するテープが設けられている。本体部２を構成する素材には、伸縮性を有する素材が用いられる。伸縮性を有する素材としては、例えばナイロン、綿及びポリウレタンからなるツーウェイラッセル、ポリエステル、綿及びポリウレタンからなるベア天竺、ポリエステル及びポリウレタンからなるベア天竺等を用いることができる。
【００２２】
ライン部３は、例えば本体部２に別部材を重ね合わせて縫着すること（当て布）によって、本体部２よりも伸縮性が低く若しくは回復力が大きくなるように形成されている。このような素材としては、例えばナイロン及びポリウレタンからなるパワーネット等を用いることができる。ライン部３は、本体部２における所定の対象部位の近傍に配置される作用部７と、作用部７の両端部７ａ，７ａにそれぞれ連結された一対の支持部８，９とを有している。
【００２３】
作用部７は、本実施形態では、本体部２における膝部１０に対応して配置されている。膝部１０は、着用状態において、着用者の膝関節あたりを覆う部分である。作用部７は、膝部１０に向かって凸となるように緩やかな湾曲形状をなし、膝部１０よりも上方側で本体部２における脚部４の外側面４ａ側と内側面４ｂ側との間に延在している。作用部７の幅は、例えば４．５ｃｍ〜９．０ｃｍ程度となっており、作用部７と膝部１０とは、例えば３．０ｃｍ〜５．０ｃｍ程度の間隔をもって配置されている。作用部７の幅は、作用部７の中央部分と両端部分とで異なっていてもよい。また、作用部７の曲率は、特に制限はないが、本体部２及びライン部３の伸縮性を考慮して適宜決定できる。
【００２４】
支持部８は、本体部２における脚部４の外側面４ａ側において、作用部７と交差するように脚部４の長手方向に延在している。支持部８は、脚部４の外側面４ａ側を主として本体部２の膝部１０から腰部５にかけて延在している。支持部８は、着用状態では、着用者の大腿に沿って、少なくとも膝部外側に対応する位置から腰部に対応する位置にかけて、より詳細には、大腿骨外側上顆に対応する位置から大転子に対応する位置にかけて延在する。
【００２５】
また、支持部９は、本体部２における脚部４の内側面４ｂ側において、作用部と交差するように、かつ支持部８と略平行となるように、脚部４の長手方向に延在している。支持部９は、脚部４の内側面４ｂ側において、本体部２の膝部１０から股部１１にかけて延在しており、股部１１において左右の支持部９，９の上端同士が互いに連結した状態となっている。支持部９は、着用状態では、着用者の大腿に沿って、少なくとも膝部内側に対応する位置から股部に対応する位置にかけて、より詳細には、大腿骨内側上顆に対応する位置から恥骨に対応する位置にかけて延在する。
【００２６】
支持部８，９の幅は、特に制限はないが、本体部２及びライン部３の伸縮性を考慮して適宜決定できる。支持部８，９の幅は、例えば作用部７と同様に４．５ｃｍ〜９．０ｃｍ程度とすることができる。支持部８の幅と支持部９の幅とは、互いに同じであってもよく、異なっていてもよい。また、支持部８，９の伸縮性は、作用部７の伸縮性に比べて低くてもよい。
【００２７】
続いて、上述した構成を有する衣類１の作用効果について説明する。
【００２８】
この衣類１では、図２に示すように、着用時に脚部４が大腿部の幅方向（脚周り方向）に伸張し、脚部４の伸張に伴って作用部７にも伸張方向の変形が生じる。このとき、作用部７の両端部７ａ，７ａには、作用部７と交差する方向に延在する一対の支持部８，９が連結されているため、作用部７がその延在方向（脚周り方向）に伸張することが許容される一方で、作用部７の両端部７ａ，７ａの位置が支持部８，９の延在方向に変動することが抑制される。
【００２９】
このため、作用部７は、中央の凸部分７ｂがフラットになるように変形し、変形の際に作用部７の直下にある膝上の皮膚を膝部１０側から上方に引き寄せるように作用する。これにより、膝関節の筋活動を妨げている膝上の皮膚の弛みを解消することが可能となり、歩行動作がスムーズとなる。この結果、衣類１では、着用者の歩行中の筋活動を高めて歩幅及び歩速が大きくすることが可能となり、脚力のトレーニング効果を高めることができる。
【００３０】
また、この衣類１では、図３に示すように、着用状態において着用者が膝を曲げた際にも、本体部２の伸張に伴って作用部７にも伸張方向の変形が持続する。したがって、図２の場合と同様に、作用部７において凸部分７ｂがフラットになった状態が保たれ、膝上の皮膚を膝部１０側から上方に引き寄せる作用が維持される。この衣類１では、本体部２よりも伸縮性の小さい作用部７によって皮膚を引き寄せることで皮膚の弛みを解消させる作用を有しているが、締め付け力を筋肉に作用させるタイプの衣類に比べて着用者への圧力の負荷を小さくできる。したがって、着用時の着け心地にも優れ、楽な着心地とすることができる。
【００３１】
また、衣類１では、支持部８が本体部２の脚部４の外側面４ａ側において、大腿骨外側上顆に対応する位置から大転子に対応する位置にかけて延在し、支持部９が本体部２の脚部４の内側面４ｂ側において、大腿骨内側上顆に対応する位置から恥骨に対応する位置にかけて延在すると共に、股部１１において左右の支持部９の上端同士が互いに連結した状態となっている。これにより、支持部８，９が安定し、作用部７の両端部７ａ，７ａがより確実に支持される。したがって、作用部７の両端部７ａ，７ａの位置が支持部８，９の延在方向に変動することがより確実に抑制され、作用部７による皮膚の引き寄せ作用を効果的に生じさせることができる。
【００３２】
なお、ライン部３は、上述した当て布以外にも、パワーネット等の継ぎ合わせを縫着して形成してもよく、樹脂プリント、編組織の変更、抜蝕加工（オパール加工）等によって形成してもよい。また、作用部７を画成する凸部の形状は、着用によってフラットになるように変形し、変形の際に作用部７の直下にある皮膚を対象部位側から引き寄せるように作用するものであればよく、図１に示した円弧状に限られず、Ｖ字状であってもよく、中央の凸部が両端よりも突出しないＷ字状であって、全体としてアーチ状をなす形状であってもよい。また、環状でかつ全体としてアーチ状をなす形状であってもよい。
【００３３】
作用部７及び支持部８，９のラインは、必ずしも連続している必要はなく、一部が破線状や点線状となっていてもよい。また、図１に示した形態では、脚部４の前面側に作用部７を形成しているが、脚部４の背面側に作用部７を形成してもよい。
【００３４】
図４は、本発明に係る衣類の作用効果に関する実験結果を示す図である。当該実験は、立位時における着用者の膝近傍の皮膚に約３．５ｃｍ間隔で脚回りにペンでラインを描き、上述した衣類１と同様の構成を有するスパッツ型のサンプル（実施例）と、作用部７及び支持部８，９を有しないスパッツ型のサンプル（比較例）とをそれぞれ着用した時のラインの状態を検証したものである。図４では、実施例の場合のラインを太線、比較例の場合のラインを細線で示している。この実験の結果、同図に示すように、実施例では、比較例に比べて膝上のラインが上方に引き寄せられており、テープを用いて膝上の皮膚を上方に引き寄せたときと同様に、作用部７によって膝上の皮膚が上方に引き寄せられていることが実証された。
【００３５】
また、図５は、本発明に係る衣類の脚力トレーニング効果に関する実験結果を示す図である。当該実験は、上述した衣類１と同様の構成を有するスパッツ型のサンプル（実施例）と、作用部７及び支持部８，９を有しないスパッツ型のサンプル（比較例）とを複数の被験者にそれぞれ着用させて歩行動作を観測し、歩幅及び歩速を測定したものである。
【００３６】
図５（ａ）は、歩幅の測定結果を示す図である。同図の結果によれば、被験者２０名のうちの１５名で歩幅の向上が見られ、当該１５名について、比較例では歩幅が約０．６２１ｍ／歩であったのに対し、実施例では歩幅が約０．６３４ｍ／歩に向上した。また、図５（ｂ）は、歩速の測定結果を示す図である。同図の結果によれば、被験者２０名のうちの１６名で歩速の向上が見られ、当該１６名について、比較例では歩速が約７５．５２ｍ／ｍｉｎであったのに対し、実施例では歩速が約７６．５０ｍ／ｍｉｎに向上した。以上の結果から、実施例では、歩幅が広く、かつ歩速の大きい歩行ができており、このような歩行を継続することにより脚力を向上できることが実証された。
【００３７】
図６は、第１実施形態に係る衣類の変形例を示す要部拡大図である。上記実施形態では、股部１１において左右の支持部９，９の上端同士が互いに連結した状態となっているが、同図に示す変形例に係る衣類２１では、本体部２の股部２２が左右の身頃とは別体のクロッチ布を縫着することによって構成され、左右の支持部９，９の上端同士が股部２２を介して互いに連結した状態となっている。このような構成においても、支持部８，９によって作用部７の両端部７ａ，７ａが支持部８，９によって確実に支持される。したがって、作用部７の両端部７ａ，７ａの位置が支持部８，９の延在方向に変動することがより確実に抑制され、作用部７による皮膚の引き寄せ作用を効果的に生じさせることができる。
［第２実施形態］
【００３８】
図７は、本発明に係る衣類の第２実施形態を示す側面図である。同図に示すように、第２実施形態に係る衣類３１は、アンダーシャツ等の上半身衣類として構成され、ライン部３を配置する対象部位を本体部３２の肘部４０としている点で第１実施形態と異なっている。本体部３２は、例えば前身頃及び後身頃を側中心で互いに縫着することによって形成され、着用状態において、着用者の胸部、腹部、背部、腕部を覆う部分を有している。肘部４０は、着用状態において、着用者の肘関節あたりを覆う部分である。この衣類３１では、作用部３７は、肘部４０に向かって凸となるように緩やかな湾曲形状をなし、肘部４０よりも所定の間隔だけ上方側で腕部３４の外側面３４ａ側に延在している。
【００３９】
支持部３８は、腕部３４の背面３４ｂ側において、作用部３７と交差するように腕部３４の長手方向に肘部４０から肩部３５にかけて延在している。支持部３８は、着用状態では、着用者の上腕に沿って、少なくとも上腕骨外側上顆に対応する位置から上腕骨頭に対応する位置にかけて延在する。また、支持部３９は、腕部３４の正面３４ｃ側において、作用部３７と交差するように、かつ支持部３８と略平行となるように、腕部３４の長手方向に肘部４０から肩部３５にかけて延在している。支持部３９は、着用状態では、着用者の上腕に沿って、少なくとも上腕骨内側上顆に対応する位置から上腕骨頭に対応する位置にかけて延在する。なお、図７の例では、支持部３８，３９の上端部同士は連結されていないが、これらを肩部３５において互いに連結してもよい。
【００４０】
このような衣類３１においても、着用時に本体部３２が伸張し、本体部３２の伸張に伴って作用部３７にも伸張方向の変形が生じる。このとき、作用部３７の両端部３７ａ，３７ａには、作用部３７と交差する方向に延在する一対の支持部３８，３９が連結されているため、作用部３７がその延在方向（腕周り方向）に伸張することが許容される一方で、作用部３７の両端部３７ａ，３７ａの位置が支持部３８，３９の延在方向に変動することが抑制される。このため、作用部３７は、中央の凸部分３７ｂがフラットになるように変形し、変形の際に作用部３７の直下にある肘上の皮膚を肘部４０側から上方に引き寄せるように作用する。これにより、肘関節の筋活動を妨げている肘上の皮膚の弛みを解消することが可能となり、着用者の腕の筋活動を高めることができる。
【００４１】
また、この衣類３１においても、本体部３２よりも伸縮性の小さい作用部３７によって皮膚を引き寄せることで皮膚の弛みを解消させる作用を有しているが、締め付け力を筋肉に作用させるタイプの衣類に比べて着用者への圧力の負荷を小さくできる。したがって、着用時の着け心地にも優れ、楽な着心地とすることができる。なお、図７に示した形態では、腕部３４の外側面３４ａ側に作用部３７を形成しているが、腕部３４の内側面側に作用部３７を形成してもよい。
［第３実施形態］
【００４２】
図８は、本発明に係る衣類の第３実施形態を示す要部拡大図である。同図に示すように、第３実施形態に係る衣類４１は、第１実施形態と同様のスパッツ等のボトム衣類として構成され、ライン部３を配置する対象部位を本体部２の足首部５０としている点で第１実施形態と異なっている。足首部５０は、着用状態において、着用者の足関節（足首の関節）あたりを覆う部分である。この衣類４１では、作用部４７は、脚部４の背面側に形成され、足首部５０に向かって凸となるように緩やかな湾曲形状をなし、足首部５０よりも所定の間隔だけ上方側で本体部２における脚部４の外側面４ａ側と内側面４ｂ側との間に延在している。
【００４３】
支持部４８は、本体部２における脚部４の外側面４ａ側において、作用部４７と交差するように脚部４の長手方向に足首部５０から膝部１０にかけて延在している。支持部４８は、着用状態では、着用者の下腿に沿って、少なくとも足関節外果に対応する位置から腓骨頭に対応する位置にかけて延在する。また、支持部４９は、本体部２における脚部４の内側面４ｂ側において、作用部４７と交差するように、かつ支持部４８と略平行となるように、脚部４の長手方向に足首部５０から膝部１０にかけて延在している。支持部４９は、着用状態では、着用者の下腿に沿って、少なくとも足関節内果に対応する位置から脛骨内側顆に対応する位置にかけて延在する。なお、支持部４８，４９の上端部は、少なくとも膝部１０にかけて延在していればよく、膝部１０よりも上方まで延びていてもよい。すなわち、第１実施形態のように、支持部４８が腰部５まで延びていてもよく、支持部４８が股部１１まで延びてその上端同士が左右で互いに連結されていてもよい。また、図６に示したように、左右の支持部４９，４９の上端同士が股部１１を介して互いに連結されていてもよい。
【００４４】
このような衣類４１においても、着用時に本体部２が伸張し、本体部２の伸張に伴って作用部４７にも伸張方向の変形が生じる。このとき、作用部４７の両端部４７ａ，４７ａには、作用部４７と交差する方向に延在する一対の支持部４８，４９が連結されているため、作用部４７がその延在方向（足首周り方向）に伸張することが許容される一方で、作用部４７の両端部４７ａ，４７ａの位置が支持部４８，４９の延在方向に変動することが抑制される。このため、作用部４７は、中央の凸部分４７ｂがフラットになるように変形し、変形の際に作用部４７の直下にある足首の上方の皮膚を足首部５０側から上方に引き寄せるように作用する。これにより、足関節の筋活動を妨げている足首の上方の皮膚の弛みを解消することが可能となり、着用者の下腿の筋活動を高めることができる。
【００４５】
また、この衣類４１においても、本体部２よりも伸縮性の小さい作用部４７によって皮膚を引き寄せることで皮膚の弛みを解消させる作用を有しているが、締め付け力を筋肉に作用させるタイプの衣類に比べて着用者への圧力の負荷を小さくできる。したがって、着用時の着け心地にも優れ、楽な着心地とすることができる。なお、図８に示した形態では脚部４の背面側に作用部４７を形成しているが、脚部４の前面側に作用部４７を形成してもよい。
【符号の説明】
【００４６】
１，２１，３１，４１…衣類、２，３２…本体部、３…ライン部、４…脚部、４ａ…外側面、４ｂ…内側面、１０…膝部（対象部位）、７，３７，４７…作用部、７ａ，３７ａ，４７ａ…端部、７ｂ，３７ｂ，４７ｂ…凸部分、８，３８，４８…支持部、９，３９，４９…支持部、２２…股部、４０…肘部（対象部位）、５０…足首部（対象部位）。
【図１】
2015158023.tif 000003
【図２】
2015158023.tif 000004
【図３】
2015158023.tif 000005
【図４】
2015158023.tif 000006
【図５】
2015158023.tif 000007
【図６】
2015158023.tif 000008
【図７】
2015158023.tif 000009
【図８】
2015158023.tif 000010
【図９】
2015158023.tif 000011